(57)【特許請求の範囲】
【請求項１】
光源と、
器具本体と、
下方に向かって先細りする先細り形状の外形を有し、前記器具本体に取り付けられることにより前記器具本体との間に前記光源を収容する灯室を形成するカバーと、
前記カバーの頂部であり、かつ最下部の位置に形成される、前記灯室内の水分を排出するための水抜き孔と、
前記カバーの、前記水抜き孔よりも上方であり、かつ、前記カバーの上端部に近い位置において、前記カバーの内部の上方へ向って突出形成され、下端が、前記カバーの表面に沿った斜面の開口端である筒部と、
前記筒部の上面部に設けられる、前記灯室の内部を外気に連通させるための空気孔と、  を備え、
前記筒部では、前記筒部の内壁面の形状を構成する直線である母線のうちの、前記筒部の斜面の開口端の最も低い地点に対応する母線が最大母線となり、前記筒部の斜面の開口端の最も高い地点に対応する母線が最小母線となり、
前記筒部の上面部の中心を通る、前記上面部の表面に垂直な垂線を、前記筒部の軸線としたとき、前記空気孔は、前記筒部の軸線を基準として前記最小母線側に位置していることを特徴とする照明器具。
【請求項２】
前記筒部における前記斜面の開口端の、最も高い地点と最も低い地点とを結ぶ直線の長さは、６ｍｍより大きいことを特徴とする請求項１記載の照明器具。
【発明の詳細な説明】
【技術分野】
【０００１】
本発明は、例えば街路灯等の道路や公園の照明を行う照明器具に関する。
【背景技術】
【０００２】
従来、支柱（取付ポール）の端部に器具本体を取り付けた照明器具を既に提案している（例えば特許文献１参照）。
【先行技術文献】
【特許文献】
【０００３】
【特許文献１】特開２００８−０２７７８３号公報（図１、請求項１）
【発明の概要】
【発明が解決しようとする課題】
【０００４】
通常、街路灯等の屋外に設置される照明器具においては、器具本体内の電気部品が駆動されることにより器具本体の内部温度が上昇して圧力が高くなる。そして、電気部品が駆動を中止されることにより器具本体の内部温度が下降する。その際、器具本体の内部の圧力が低下するのに伴い、水抜き孔に付着している水滴等の水分が器具本体内に吸い込まれないように器具本体の内部に外気を導入させて呼吸作用を行わせるための空気孔が設けられている。
【０００５】
しかし、上記特許文献１に開示された従来の照明器具において、空気孔が大きな開口面積を有するものであると、空気孔から器具本体内に虫等の飛翔害虫が侵入することがありうる。
従って、侵入した飛翔害虫を取り除くための清掃作業が必要になってメンテナンスフリー化を実現することが難しい。
【０００６】
また、上記特許文献１に開示された従来の照明器具において、万が一に、水抜き孔が水分によって塞がれた場合に器具本体の内部圧力が大気と比べて大きく異なると、空気孔を通じて外部の水分を吸い込んでしまう。
従って、器具本体の内部に水分を積極的に浸入させてしまい、内部の電気部品の支障をまねいたり、器具本体の内部に結露を発生させたりする虞がある。
【０００７】
本発明は、前述した課題を解決するためになされたものであり、その目的は、メンテナンスフリー化を図ることができるとともに、内部の電気部品の保全および器具本体内部の結露の発生の抑制を行うことができる照明器具を提供することにある。
【課題を解決するための手段】
【０００８】
本発明に係る照明器具は、光源と、器具本体と、下方に向かって先細りする先細り形状の外形を有し、前記器具本体に取り付けられることにより前記器具本体との間に前記光源を収容する灯室を形成するカバーと、前記カバーの頂部であり、かつ最下部の位置に形成される、前記灯室内の水分を排出するための水抜き孔と、前記カバーの、前記水抜き孔よりも上方であり、かつ、前記カバーの上端部に近い位置において、前記カバーの内部の上方へ向って突出形成され、下端が、前記カバーの表面に沿った斜面の開口端である筒部と、前記筒部の上面部に設けられる、前記灯室の内部を外気に連通させるための空気孔と、を備え、前記筒部では、前記筒部の内壁面の形状を構成する直線である母線のうちの、前記筒部の斜面の開口端の最も低い地点に対応する母線が最大母線となり、前記筒部の斜面の開口端の最も高い地点に対応する母線が最小母線となり、前記筒部の上面部の中心を通る、前記上面部の表面に垂直な垂線を、前記筒部の軸線としたとき、前記空気孔は、前記筒部の軸線を基準として前記最小母線側に位置していることを特徴とする。
【０００９】
本発明において、空気孔は、カバーの表面からカバーの内部の上方へ向かう筒部の上端部を覆う上面部に設けられている。
これにより、空気孔がカバーの表面から奥まった位置に配置されているために、虫等の飛翔害虫が入り難い。
従って、飛翔害虫の侵入を阻止することにより、メンテナンスフリー化を実現することができる。
【００１０】
本発明において、空気孔は、カバーの表面からカバーの内部の上方へ向かって奥まった位置に配置されている。
これにより、空気孔に水分が付着することがないので、万が一に、水抜き孔が水分によって塞がれたとしても、空気孔を通じて水分を吸い込んでしまうことがない。
従って、灯室の内部に水分を浸入させることがないので、内部の電気部品の保全および灯室内部の結露の発生の抑制を行うことができる。
また、本発明において、空気孔は、その筒部が、下方に向かって先細り形状に形成されているカバーの表面から内部の上方へ向かって形成されているために、筒部を形成する複数の母線のうちの最大母線に対向する最小母線側に配置されている。
これにより、カバーの表面にかかった水分が最大母線側に付着し、最小母線に付着しない。
従って、カバーの表面にかかった水分から離れた位置に空気孔が配置されることにより、水分の浸入を確実に防止することができる。
【００１１】
本発明に係る照明器具は、前記筒部における前記斜面の開口端の、最も高い地点と最も低い地点とを結ぶ直線の長さは、６ｍｍより大きいことを特徴とする。
【発明の効果】
【００１３】
本発明の照明器具によれば、空気孔を、カバーの表面からカバーの内部の上方へ向かう筒部の上端部を覆う上面部に設けた。
これにより、メンテナンスフリー化を図ることができるとともに、内部の電気部品の保全および器具本体内部の結露の発生の抑制を行うことができるという効果を有する。
【図面の簡単な説明】
【００１４】
【図１】本発明に係る一実施形態の照明器具の一部破断側面図
【図２】図１の照明器具におけるカバーの平面図
【図３】図２のカバーの一部破断拡大図
【図４】図１の照明器具におけるカバーの一部破断左側面図
【図５】図４のカバーの一部破断拡大図
【発明を実施するための形態】
【００１５】
以下、本発明の一実施形態に係る照明器具について図面を参照して説明する。
【００１６】
本発明の一実施形態である照明器具１０は、器具本体１１と、光源であるＬＥＤユニット１２と、電源部１３と、水抜き孔１５および一対の空気孔１６を形成したカバー１４と、を備える。
【００１７】
図１に示すように、器具本体１１は、例えばダイカスト等の金属材料を用いて、四角錐を対角線上で２等分することにより上方を凸として所定の厚さ寸法を有する略三角錐の外形に形成されている。
【００１８】
器具本体１１は、その後面にブラケット１７を備えている。ブラケット１７は不図示の支柱や筺体等にネジ止めされる。
【００１９】
器具本体１１は、その内側に電源部１３を取り付けている。電源部１３は、一方が不図示の外部電源に電気的に接続され、他方がＬＥＤユニット１２に電気的に接続される。
【００２０】
ＬＥＤユニット１２は、電源部１３の下方に取り付けられている。ＬＥＤユニット１２は複数のＬＥＤ１８を、Ｖ字形状に形成されている反射板１９上に複数列に配列している。ＬＥＤ１８は所定の単色であっても複数色の組み合わせであっても良い。また、光源としてのＬＥＤユニット１２に代えて各種ランプを適用しても良い。
【００２１】
カバー１４は、例えば透明な樹脂材料を用いて下方に向かって先細り形状である、四角錐を対角線上で２等分することにより下方を凸として所定の厚さ寸法を有する略三角錐の外形に形成されている。カバー１４は上端開口部にフランジ２０を有する。
【００２２】
カバー１４は、ＬＥＤユニット１２を覆って、そのフランジ２０が、器具本体１１の下端開口部に有するフランジ２１にネジ止めされることにより器具本体１１との間に空間状の灯室２２を形成している。灯室２２には電源部１３およびＬＥＤユニット１２が収容されている。
【００２３】
水抜き孔１５は、カバー１４の三角錐の頂部であって最下部の位置に形成されている。
【００２４】
図２に示すように、水抜き孔１５は、例えば０．３ｍｍの幅寸法Ｌ１で所定の長さを有して５個整列配置されている。水抜き孔１５は、５個の整列に代えて複数列を配列しても良い。水抜き孔１５は、カバー１４の最下部に１個形成されるのに限らず、適宜位置に複数個形成しても良い。
【００２５】
水抜き孔１５は、飛翔害虫の外形に比べて小さい幅寸法Ｌ１を有する。
これにより、水抜き孔１５から灯室２２内への飛翔害虫の侵入を阻止することができる。
【００２６】
カバー１４は、水抜き孔１５を中心とした対称位置に空気孔１６をそれぞれ形成している。空気孔１６は、水抜き孔１５よりも上方に位置する。
【００２７】
図３に示すように、空気孔１６は、カバー１４の表面からカバー１４の内部の上方へ向かう筒部２３の上端部を覆う上面部２４にスリット形状に形成されている。空気孔１６は、例えば０．３ｍｍの幅寸法Ｌ２で３ｍｍの長さ寸法Ｌ３を有する四角形の貫通孔である。
【００２８】
図４に示すように、空気孔１６は、カバー１４の中心線Ａから端部までの長さ寸法Ｌ４よりも短い長さ寸法Ｌ５の位置に筒部２３の軸線Ｂを配置している。
【００２９】
図５に示すように、筒部２３は、カバー１４の表面からカバー１４の内部の上方へ向かって多角形の筒形状に突出形成されている。このとき、カバー１４が下方に向かって先細り形状に形成されているために、筒部２３は、カバー１４の中心側である軸線Ｂの最大母線Ｃ側に最大母線側板部２５を配置し、カバー１４の外方側である軸線Ｂの最小母線Ｄ側に最小母線側板部２６を配置する。筒部２３は、六角形や八角形の多角形に代えて円筒形状に形成されても良い。
【００３０】
筒部２３は、カバー１４の表面側に形成されている開口部２７が、例えば８ｍｍの開口寸法Ｌ６に形成されている。筒部２３の開口部２７の長さ寸法Ｌ６は水分が付着しやすい６ｍｍよりも十分に大きい。つまりは、開口部２７の断面積が水分の付着を許容しない大きさになっている。
これにより、筒部２３は、その開口部２７に水分が付着し難い。
【００３１】
筒部２３は、その下端部が内径寸法Ｄ１であり、その上端部が下端部よりもわずかに小さい内径寸法Ｄ２であって、高さ寸法Ｌ７を有する。内径寸法Ｄ１およびＤ２は水分が付着し難い大きさである。
【００３２】
上面部２４は、筒部２３の上端部に水平に接続されている。そして、空気孔１６は、上面部２４における最小母線側板部２６側であって母線Ｂの外方側であり、最大母線側板部２５から十分に離れた位置に配置されている。空気孔１６は筒部２３の上端部の上面部２４において大気解放されている。なお、空気孔１６はカバー１４の両端寄りに一対形成されるのに限らず、同様の形状にして適宜位置に複数対形成されても良い。
【００３３】
このような照明器具１０は、ブラケット１７が支柱や筺体等にネジ止めされ、電源部１３が外部電源に電気的に接続されて施工される。
【００３４】
外部電源から電源部１３に所定の電流が給電されることによりＬＥＤユニット１２のＬＥＤ１８がそれぞれ発光されて道路や公園の照明を行う。
【００３５】
電源部１３への給電に伴うＬＥＤ１８の発光により灯室２２内の温度が上昇し、圧力が上昇する。そして、電源部１３への給電が中止されると灯室２２内の温度が下降し、灯室２２内の圧力が低下するのに伴い空気孔１６から外気を導入して呼吸作用が行われる。
【００３６】
そして、風雨にさらされた際に灯室２２内に水滴などの水分が万が一に浸入した場合、カバー１４の最下位置に配置されている水抜き孔１５から水分が排出される。
【００３７】
このとき、カバー１４の表面をつたって自然落下してきた水分は、空気孔１６の筒部２３における開口部２７に付着しようとする。しかし、開口部２７が８ｍｍの開口寸法Ｌ６を有するために水分が付着せずに自然落下を続けることになる。
【００３８】
これとは異なり、風雨等によりカバー１４の開口部２７に水平方向から水分があたった場合、その水分は開口部２７を通じて筒部２３の内部に浸入して筒部２３の内面における最大母線側板部２５に付着する。しかし、空気孔１６が筒部２３の上端部を覆う上面部２４において最大母線側板部２５から十分に離れた位置に配置されているために、最大母線側板部２５に付着している水分は空気孔１６に到達することはなく、空気孔１６を通じて水分を導入することはない。
【００３９】
以上説明してきたように、本発明の一実施形態の照明器具１０では、空気孔１６は、カバー１４の表面からカバー１４の内部の上方へ向かう筒部２３の上端部を覆う上面部２４に設けられている。
これにより、空気孔１６がカバー１４の表面から奥まった位置に配置されているために、虫等の飛翔害虫が入り難い。
従って、飛翔害虫の侵入を阻止することにより、メンテナンスフリー化を実現することができる。
【００４０】
本発明の一実施形態の照明器具１０では、空気孔１６は、カバー１４の表面からカバー１４の内部の上方へ向かって奥まった位置に配置されている。
これにより、空気孔１６に水分が付着することがないので、万が一に、水抜き孔１５が水分によって塞がれたとしても、空気孔１６を通じて水分を吸い込んでしまうことがない。
従って、灯室２２の内部に水分を浸入させることがないので、内部の電源部１３およびＬＥＤユニット１２の保全および灯室２２内部の結露の発生の抑制を行うことができる。
【００４１】
本発明の一実施形態の照明器具１０では、空気孔１６は、その筒部２３が、下方に向かって先細り形状に形成されているカバー１４の表面から内部の上方へ向かって形成されているために、筒部２３を形成する複数の母線のうちの最大母線Ｃに対向する最小母線Ｄ側に配置されている。
これにより、カバー１４の表面にかかった水分が最大母線Ｃ側に付着し、最小母線Ｄに付着しない。
従って、カバー１４の表面にかかった水分から離れた位置に空気孔１６が配置されることにより、水分の浸入を確実に防止することができる。
【００４２】
なお、前記各実施形態で使用した器具本体１１、ＬＥＤユニット１２、電源部１３等は例示したものに限定するものではなく適宜変更が可能である。
【符号の説明】
【００４３】
１０  照明器具
１１  器具本体
１２  ＬＥＤユニット（光源）
１４  カバー
１５  水抜き孔
１６  空気孔
２２  灯室
２３  筒部
２４  上面部
【図１】
0005473055.tif 000002
【図２】
0005473055.tif 000003
【図３】
0005473055.tif 000004
【図４】
0005473055.tif 000005
【図５】
0005473055.tif 000006